(57)【要約】【課題】ワイヤーハーネスのコネクタを容易に密封し得るコネクタキャップを提供する。【解決手段】電線束の端部に取着されたコネクタを密封するコネクタキャップにおいて、フィルム状の熱収縮樹脂を筒状部に成型し、該筒状部１１ａ内側面には前記コネクタを密封可能とする位置に、ホットメルト接着剤１２を塗布した。【選択図】図１
2018028973.tif 000002
【特許請求の範囲】
【請求項１】
電線束の端部に取着されたコネクタを密封するコネクタキャップにおいて、
フィルム状の熱収縮樹脂を筒状部に成型し、該筒状部の内側面には前記コネクタを密封可能とする位置にホットメルト接着剤を塗布したことを特徴とするコネクタキャップ。
【請求項２】
請求項１に記載のコネクタキャップにおいて、
前記筒状部を、オレフィン系樹脂で成型したことを特徴とするコネクタキャップ。
【請求項３】
請求項１又は２に記載のコネクタキャップにおいて、
前記筒状部の両端開口部内側面に前記ホットメルト接着剤を塗布したことを特徴とするコネクタキャップ。
【請求項４】
フィルム状の熱収縮樹脂を筒状部に成型するとともに該筒状部の内側面においてコネクタを密封可能とする位置にホットメルト接着剤を塗布したコネクタキャップに、電線束の端部に取着された前記コネクタを挿通し、前記コネクタキャップを加熱することを特徴とするコネクタの密封方法。
【発明の詳細な説明】
【技術分野】
【０００１】
本発明は、ワイヤーハーネスのコネクタを覆うコネクタキャップに関するものである。
【背景技術】
【０００２】
従来、自動車に搭載された機器を電気的に接続するために車室内外に配設されるワイヤーハーネスは、電線束の端部に複数のコネクタが接続され、各コネクタを機器に接続可能となっている。
【０００３】
また、仕様の異なる車種に対し、共通のワイヤーハーネスを使用して、部品コストの低減が図られている。このような場合に、車種によって使用されないコネクタが存在するため、開放状態のコネクタを電気的に絶縁し、かつ防水する必要がある。
【０００４】
図４及び図５は、不使用となるコネクタを電気的に絶縁し、かつ防水するキャップの一例を示す。ワイヤーハーネスの一部を構成する電線束１の端部に接続されたコネクタ２に合成樹脂膜で筒状に成型されたコネクタキャップ３が被せられ、そのコネクタキャップ３の両端開口部が熱溶着処理により密封されている。
【０００５】
このような構成により、図５に示すように、コネクタキャップ３の両端縁が溶着部４で密封されて、コネクタ２が電気的に絶縁され、かつ防水される。
特許文献１には、ワイヤーハーネスを防水する丸チューブが開示されている。
【０００６】
特許文献２には、止水壁体と止水被覆により、防水性を確保した端子金具が開示されている。
【先行技術文献】
【特許文献】
【０００７】
【特許文献１】特開平７−２５０４１２号公報
【特許文献２】特開２０１２−１６９１２３号公報
【発明の概要】
【発明が解決しようとする課題】
【０００８】
上記のようにコネクタキャップ３の両端縁を熱溶着してコネクタ２を密封するためには、コネクタキャップ３の両端縁を熱溶着するための熱溶着工程及び熱溶着加工装置が必要となるため、製造コストが上昇するという問題点がある。
【０００９】
この発明はこのような事情に鑑みてなされたものであり、その目的はワイヤーハーネスのコネクタを容易に密封し得るコネクタキャップを提供することにある。
【課題を解決するための手段】
【００１０】
上記課題を解決するコネクタキャップは、電線束の端部に取着されたコネクタを密封するコネクタキャップにおいて、フィルム状の熱収縮樹脂を筒状に成型し、該筒状部のない側面には、前記コネクタを密封可能とする位置にホットメルト接着剤を塗布したことを特徴とする。
【００１１】
この構成により、筒状部及び筒状部の両端開口部内側面を加熱することにより、コネクタがコネクタキャップで密封される。
また、上記のコネクタキャップにおいて、前記筒状部を、オレフィン系樹脂で成型することが好ましい。
【００１２】
この構成により、加熱により筒状部が収縮する。
また、上記のコネクタキャップにおいて、前記筒状部の両端開口部内側面に前記ホットメルト接着剤を塗布することが好ましい。
【００１３】
この構成により、コネクタキャップへの加熱により、コネクタがコネクタキャップで密封される。
上記課題を解決するコネクタの密封方法は、フィルム状の熱収縮樹脂を筒状に成型するとともに該筒状部の両端開口部内側面にホットメルト接着剤を塗布したコネクタキャップに、電線束の端部に取着されたコネクタを挿通し、前記コネクタキャップを加熱することを特徴とする。
【００１４】
この方法により、コネクタがコネクタキャップで密封される。
【発明の効果】
【００１５】
本発明のコネクタキャップによれば、ワイヤーハーネスのコネクタを容易に密封することができる。
【図面の簡単な説明】
【００１６】
【図１】コネクタキャップを示す正面図。
【図２】コネクタキャップによるコネクタの密封手順を示す正面図。
【図３】コネクタキャップで密封したコネクタを示す正面図。
【図４】従来のコネクタキャップを示す正面図。
【図５】従来のコネクタキャップで密封したコネクタを示す正面図。
【発明を実施するための形態】
【００１７】
以下、コネクタキャップの一実施形態を図面に従って説明する。上記従来例と同一構成部分は同一符号を付して説明する。
図１に示すように、ワイヤーハーネスの一部を構成する電線束１の端部には仕様によって不使用となるコネクタ２が接続され、そのコネクタ２はコネクタキャップ１１で密封される。
【００１８】
コネクタキャップ１１は、フィルム状のオレフィン系熱収縮樹脂で筒状に形成され、該筒状部１１ａの両端開口部の内側面にホットメルト接着剤１２が塗布されている。コネクタキャップ１１は、加熱により径方向に７０パーセントの収縮率で収縮する性質を備え、ホットメルト接着剤１２は、加熱によりコネクタキャップ１１の開口部内側面を互いに接合する。
【００１９】
次に、コネクタキャップ１１の作用を説明する。
図２及び図３は、このようなコネクタキャップ１１でコネクタ２を密封する場合の手順を示す。
【００２０】
図２に示すように、まず、コネクタ２をコネクタキャップ１１内に挿入し、この状態でコネクタキャップ１１をドライヤー等の加熱手段により加熱する。
すると、図３に示すように、コネクタキャップ１１が径方向に収縮して、コネクタ２に密着して包み込む状態となるとともに、ホットメルト接着剤１２が溶けて、コネクタキャップ１１の両端開口部が密封される。
【００２１】
上記のようなコネクタキャップ１１では、次に示す効果を得ることができる。
（１）ドライヤー等の加熱手段で加熱することにより、コネクタ２を密封することができる。
【００２２】
（２）コネクタキャップ１１の両端開口部を密封するための熱溶着工程及び熱溶着加工装置を必要としない。従って、コネクタキャップ１１で密封すべきコネクタ２を備えたワイヤーハーネスの製造コストを低減することができる。
【００２３】
（３）コネクタキャップ１１がコネクタ２に密着するので、密封後のコネクタキャップ１１の寸法を小さくして、美観を向上させることができる。
なお、上記実施形態は以下のように変更してもよい。
【００２４】
・コネクタキャップ１１の収縮率を適宜変更して、コネクタキャップ１１のコネクタへの密着度を調整してもよい。
・ホットメルト接着剤は、コネクタを密封可能とする位置であれば、筒状部の両端開口部内側面に限定されるものではない。
【符号の説明】
【００２５】
１…電線束、２…コネクタ、１１…コネクタキャップ、１１ａ…筒状部、１２…ホットメルト接着剤。
【図１】
2018028973.tif 000003
【図２】
2018028973.tif 000004
【図３】
2018028973.tif 000005
【図４】
2018028973.tif 000006
【図５】
2018028973.tif 000007